(57)【要約】【課題】１本の指での操作を可能として操作性の向上が図れると共に、電子機器本体の小型化が図れる撮影機能付き電子機器を提供する。【解決手段】撮影用レンズと、それぞれ独立した操作が可能なシャッター操作部３６とズーム操作部３７とを有する入力部３５と、撮影用レンズで撮影した静止画像又は動画像を電子データに変換するデータ変換手段と、変換した画像データを記憶する記憶手段とを備え、入力部３５は、シャッター操作部３６を挟んで対向する両側に相反するズーム操作を行うズーム操作部３７を配置すると共に、シャッター操作部３６及びズーム操作部３７のそれぞれの操作面３６ａ、３７ｂを筐体３１の同一面に沿うように配置した。【選択図】        図１
2004363691.tif 000002
【特許請求の範囲】
【請求項１】
撮影用レンズと、それぞれ独立した操作が可能なシャッター操作部とズーム操作部とを有する入力部と、前記撮影用レンズで撮影した静止画像又は動画像を電子データに変換するデータ変換手段と、変換した画像データを記憶する記憶手段とを備え、前記入力部は、前記シャッター操作部を挟んで対向する両側に相反するズーム操作を行うズーム操作部を配置すると共に、前記シャッター操作部及び前記ズーム操作部のそれぞれの操作面を筐体の同一面に沿うように配置したことを特徴とする撮影機能付き電子機器。
【請求項２】
前記ズーム操作部の操作面に、ズーム操作時に指が係止する係止面部を設け、該係止面部に指が係止した状態で前記シャッター操作部が操作可能なようにシャッター操作面を設けたことを特徴とする請求項１記載の撮影機能付き電子機器。
【請求項３】
前記入力部は、前記シャッター操作部の昇降移動を検出してシャッター操作を行い、前記シャッター操作部の昇降方向と交差する方向に前記ズーム操作部がスライド移動したことを検出してズーム操作を行うことを特徴とする請求項１、又は２記載の撮影機能付き電子機器。
【請求項４】
前記ズーム操作部のスライド移動時に、前記シャッター操作部が従動してスライド移動することを特徴とする請求項３記載の撮影機能付き電子機器。
【請求項５】
前記ズーム操作部は、前記ズーム操作面を初期位置に復帰させる自己復帰手段を有し、該自己復帰手段の付勢力に抗して前記ズーム操作部をスライド操作した状態で、同時に前記シャッター操作部を昇降操作可能としたことを特徴とする請求項４記載の撮影機能付き電子機器。
【請求項６】
前記ズーム操作部は、前記ズーム操作面を初期位置に復帰させる自己復帰手段と、前記シャッター操作部のロック手段を有し、前記ズーム操作部をスライド操作した状態では、前記シャッター操作部の昇降操作をロックし、前記ズーム操作部が初期位置にある時には前記シャッター操作部のロックを解除するようにしたことを特徴とする請求項３記載の撮影機能付き電子機器。
【請求項７】
前記シャッター操作部は、フォーカスロックとシャッター操作の２段階操作で構成したことを特徴とする請求項１乃至６の何れかに記載の撮影機能付き電子機器。
【発明の詳細な説明】
【０００１】
【発明の属する技術分野】
本発明は、スライド操作と押圧操作とが行える複合操作型入力装置によってカメラのシャッターとズーム操作を行う撮影機能付き電子機器に係り、特に携帯電話やＰＤＡなど薄型の撮影機能付き電子機器等に関する。
【０００２】
【従来の技術】
従来のズーム機能付きのデジタルカメラへ適用されている複合操作型入力装置としては、回転可能なつまみ（回転操作体）の中央部にキートップを配置し、つまみを回転操作すると抵抗値などの出力信号を変化させることができて、キートップを押圧操作するとプッシュスイッチのオン・オフ切り換えが行えるようにした複合操作型の入力装置が知られている（例えば、特許文献１参照）。
【０００３】
以下、従来のズーム機能付きデジタルカメラ用の複合操作型入力装置の構造を図に基づいて説明する。
図１１及び図１２は従来の複合操作型入力装置の構造を示し、図１１は複合操作型入力装置の分解斜視図、図１２は該入力装置の平面図である。
【０００４】
図に示すように、この入力装置は、金属板等からなる支持板５１と、ポリエステルフィルム等の絶縁性のベース材に導電パターンが形成されているフレキシブル基板５２と、第１の可動接点を兼ねるドーム状の第１のクリックばね５３と、複数本のガイド突起５４ａを有する合成樹脂製のガイド体５４と、押圧突起５５ａを有し前記ガイド突起５４ａに案内されて昇降可能な合成樹脂製の駆動体５５と、第２の可動接点を兼ねるドーム状の第２のクリックばね５６と、金属製の摺動子５７と、この摺動子５７を取り付けた合成樹脂製の摺動子受け５８と、天井部６０や筒状部６１を有する合成樹脂製の収納体５９と、セルフリターン用のトーションばね６２と、合成樹脂製のキートップ６３と、摺動子受け５８に一体化される合成樹脂製の回転操作体６４とによって主に構成されている。
【０００５】
フレキシブル基板５２には、第１の固定接点と第２の固定接点、及び円弧状の摺動パターンが形成されている。そして、第１の可動接点を兼ねるドーム状の第１のクリックばね５３が、第１の固定接点上に載置されて第１の押圧スイッチ素子が構成され、第２の可動接点を兼ねるドーム状の第２のクリックばね５６が、第２の固定接点上に載置されて第２の押圧スイッチ素子が構成されている。また、摺動子受け５８の底面には摺動子５７が取り付けてあり、この摺動子５７が摺動パターンと摺接して回転型スイッチを構成するようになっている。
【０００６】
上記の入力装置が適用されたデジタルカメラを操作する場合、操作者が手指でキートップ６３を押し込むと、所定量押し込んだ位置で、第２のクリックばね５６が反転し第２の押圧スイッチ素子がオン状態となり、この状態から、さらに押し込むと、第２の押圧スイッチ素子がオン状態のまま、第１のクリックばね５３が反転し第１の押圧スイッチ素子がオン状態となる。この第２の押圧スイッチ素子のオンでデジタルカメラ等の焦点合わせが行われ、第１の押圧スイッチ素子のオンでシャッター操作が行われるものとなっている。
【０００７】
また、操作者が回転操作体６４を回転させると、摺動子５７が回転して摺動パターン上を摺動することにより、回転移動した摺動子５７の位置に応じた抵抗値が出力される。この回転操作によりデジタルカメラ等のズーミングが行われるものとなっている。また、この回転操作体６４は、操作者が回転操作体６４から手指を離すと、トーションばね６２の弾発作用によって、初期位置へ自己復帰するものとなっている。
【０００８】
【特許文献１】
特開２００１−３５７７５８号公報
【０００９】
【発明が解決しようとする課題】
しかしながら、上述した従来の複合操作型入力装置を適用した撮影機能付き電子機器の構造においては、回転型スイッチの回転操作体から突出するつまみを側方から押圧回転することでズーム操作を行うと共に、２段式押釦スイッチの上方からキートップを押圧することでピント合わせとシャッター操作を行うため、１本の指では操作がしづらいという問題があった。また、人差し指と親指とによる操作となるので電子機器の操作部のデザイン自由度が阻害され、回転操作体を電子機器の筐体から大きく突出させておく必要があり、電子機器本体の小型化が図れないという問題があった。
【００１０】
したがって、本発明では上述した問題点を解決し、１本の指での操作を可能として操作性の向上が図れると共に、電子機器本体の小型化が図れる撮影機能付き電子機器を提供することを目的とする。
【００１１】
【課題を解決するための手段】
上記課題を解決するために本発明では第１の解決手段として、撮影用レンズと、それぞれ独立した操作が可能なシャッター操作部とズーム操作部とを有する入力部と、前記撮影用レンズで撮影した静止画像又は動画像を電子データに変換するデータ変換手段と、変換した画像データを記憶する記憶手段とを備え、前記入力部は、前記シャッター操作部を挟んで対向する両側に相反するズーム操作を行うズーム操作部を配置すると共に、前記シャッター操作部及び前記ズーム操作部のそれぞれの操作面を筐体の同一面に沿うように配置した構成とした。
【００１２】
また、第２の解決手段として、前記ズーム操作部の操作面に、ズーム操作時に指が係止する係止面部を設け、該係止面部に指が係止した状態で前記シャッター操作部が操作可能なようにシャッター操作面を設けた構成とした。
また、第３の解決手段として、前記入力部は、前記シャッター操作部の昇降移動を検出してシャッター操作を行い、前記シャッター操作部の昇降方向と交差する方向に前記ズーム操作部がスライド移動したことを検出してズーム操作を行う構成とした。
また、第４の解決手段として、前記ズーム操作部のスライド移動時に、前記シャッター操作部が従動してスライド移動する構成とした。
また、第５の解決手段として、前記ズーム操作部は、前記ズーム操作面を初期位置に復帰させる自己復帰手段を有し、該自己復帰手段の付勢力に抗して前記ズーム操作部をスライド操作した状態で、同時に前記シャッター操作部を昇降操作可能とした構成とした。
【００１３】
また、第６の解決手段として、前記ズーム操作部は、前記ズーム操作面を初期位置に復帰させる自己復帰手段と、前記シャッター操作部のロック手段を有し、前記ズーム操作部をスライド操作した状態では、前記シャッター操作部の昇降操作をロックし、前記ズーム操作部が初期位置にある時には前記シャッター操作部のロックを解除するようにした構成とした。
また、第７の解決手段として、前記シャッター操作部は、フォーカスロックとシャッター操作の２段階操作で構成した構成とした。
【００１４】
【発明の実施の形態】
以下、本発明の一実施例を図１乃至図１０に示す。図１は本発明の撮影機能付き電子機器の斜視図、図２は入力部の斜視図、図３はシャッター操作部にロック手段を形成した変形例を示す部分正面図、図４はシャッター操作部にロック手段を形成した変形例を示す部分斜視図、図５は複合操作型入力装置の平面図、図６は複合操作型入力装置の側面図、図７は複合操作型入力装置の斜視図、図８はハウジングの固定接点の埋設状態を示す一部を透視した状態の斜視図、図９複合操作型入力装置の上方から見た分解斜視図は、図１０は複合操作型入力装置の下方から見た分解斜視図である。
【００１５】
図１において、撮影機能付き電子機器３０は、本体部３１と、この本体部３１にヒンジ３２で回動自在に連結された表示部３３とを有している。本体部３１の表面には、各種の電子データを入力する複数個の押釦３４ａからなるキーボード部３４が設けられており、また、本体部３１の一側面には、撮影用のシャッター操作部３６とズーム操作部３７とからなる入力部３５が設けられている。
【００１６】
表示部３３の表面には、ＬＣＤ等で形成された表示画面部３８が設けられており、これと対向する裏面には、図示はしないが撮影用レンズが設けられている。この撮影用レンズから入力した画像を表示画面部３８で再生することができるものとなっている。
【００１７】
また、本体部３１には、図示はしないが、撮影用レンズで撮影した静止画像、又は動画像を電子データに変換するデータ変換手段（Ａ／Ｄ変換回路）、及びこの変換した画像データを記憶する記憶手段（ＩＣメモリー回路）が設けられており、その他、キーボード部３４から入力された各種の電子データを処理する処理手段（ＩＣ演算回路）等が設けられている。尚、これらの回路手段は、一般的に周知の技術から構成されており、ここでは詳細な説明は省略する。
【００１８】
図２乃至図４において、押圧操作型入力部であるシャッター操作部３６と、スライド操作型入力部であるズーム操作部３７は、同軸上に重合した状態で一体的に取り付けられている。このシャッター操作部３６は、突出した楕円状の平坦面からなる操作面３６ａと、この操作面３６ａより一段下がった位置に設けられた鍔部３６ｂと、この鍔部３６ｂの両端にＬ字状に垂下された係止部３６ｃとを有している。
【００１９】
また、ズーム操作部３７は、やや長尺状の小判型をした平板部３７ａと、この平板部３７ａの上方に同じく小判型に突出した操作面３７ｂと、この操作面３７ｂの中央に貫通する貫通孔３７ｃと、この貫通孔３７ｃを挟んで両側に対向して設けられ、外側に向かってなだらかに立ち上がる傾斜面部３７ｄとを有している。
また、ズーム操作部３７の貫通孔３７ｃには、シャッター操作部３６の操作面３６ａが挿通されて、鍔部３６ｂが操作面３７ｂの下面側に当接することで抜け止めされ、一体的に取り付けられている。
【００２０】
このように、シャッター操作部３６の操作面３６ａを挟んで対向する両側に、相反するズーム操作を行うズーム操作部３７の傾斜面部３７ｄが配置されており、シャッター操作部３６、及びズーム操作部３７のそれぞれの操作面３６ａ、３７ｂを、本体部３１の一側面の同一面に沿うように配置してあるので、シャッター操作部３６とズーム操作部３７のそれぞれの操作面３６ａ、３７ｂの操作を本体部３１の同一面側から操作することができ、１本の指での操作が可能となり操作性が向上されるものとなっている。
【００２１】
そして、ズーム操作部３７の操作時には、指が傾斜面部３７ｄに係止することにより操作面３７ｂのスライド移動が可能となっている。また、この時、傾斜面部３７ｄに指が係止した状態で、シャッター操作部３６の操作面３６ａの昇降操作が可能となっている。また、ズーム操作部３７のスライド移動時には、シャッター操作部３６が従動してスライド移動するようになっているので、ズーム操作とシャッター操作を連続して行えるため、撮影のタイミングロスを低減できるものとなる。
【００２２】
また、シャッター操作部３６の昇降移動を検出することによりシャッター操作を行い、シャッター操作部３６の昇降方向と交差する方向にズーム操作部３７がスライド移動したことを検出することによりズーム操作を行うようにしてあるので、シャッター操作の操作方向と、ズーム操作の操作方向とが互いに交差する方向に異なっているため、互いの操作の誤動作を防止できるものとなっている。
【００２３】
また、ズーム操作部３７は、操作面３７ｂを初期位置に復帰させるための自己復帰手段としての後述するコイルばね４を有しており、ズーム操作時に、このコイルばね４の付勢力に抗してズーム操作部３７をスライド操作した状態で、同時にシャッター操作部３６を昇降操作可能としてあるので、いちいち、ズーム選択状態を目視で確認しなくても、シャッター操作時にズーム選択状態を操作者が自覚できるようになっている。
【００２４】
また、図３及び図４に変形例として示す、シャッター操作部３６にロック手段を形成した構成においては、シャッター操作部３６の鍔部３６ｂに切り欠き部３６ｄが設けられており、シャッター操作部３６が初期位置にある時には、このシャッター操作部３６が取り付けられる、後述するハウジング１の上面側に、この切り欠き部３６ｄに対向するように、切り欠き部３６ｄ内に挿通可能な規制突起１ｆが形成されている。
【００２５】
そして、この切り欠き部３６ｄと規制突起１ｆの協働により、ズーム操作部３７をスライド操作した状態では、鍔部３６ｂの下面が規制突起１ｆと当接して、シャッター操作部３６の昇降操作がロック（規制）され、ズーム操作部３７が初期位置にある時には、規制突起１ｆが切り欠き部３６ｄ内に挿通されることにより、シャッター操作部３６が昇降可能となり、ロック（規制）を解除するようになっている。
このような構成とすれば、ズーム操作部３７の操作中に誤ってシャッター操作部３６が押されることによる誤操作を防止できるものとなっている。
【００２６】
次に、図５乃至図１０において、上記シャッター操作部３６、及びズーム操作部３７に使用される複合操作型入力装置の構成について説明する。
【００２７】
図において、ハウジング１は、合成樹脂などの絶縁材で形成されており、やや厚肉状に形成された厚板部１ａと、この厚板部１ａよりも薄肉状に形成された薄板部１ｂとを有し、厚板部１ａと薄板部１ｂとが段差部１ｃを有する階段状に形成されている。また、厚板部１ａは、やや長尺状に形成されており、この厚板部１ａの上面側の中央位置に、やや幅狭で矩形状に形成された薄板部１ｂが張り出すように設けられている。
【００２８】
また、厚板部１ａと薄板部１ｂには、導電材からなる共通の一枚の金属板を打ち抜き、折り曲げて段違い状に形成した、第１及び第２の固定接点２、３がインサート成形などの一体成形により埋設されている。
【００２９】
厚板部１ａの下面側には、下方に開口された第１の収納部１ｄが設けられ、この収納部１ｄの内底面に第１の固定接点２がその下面側を表出した状態で配設されている。この第１の固定接点２は、後述する摺動子８が常時接触した状態で摺動される共通接点２ａと、この共通接点２ａと一定の間隔で並接された個別接点２ｂ、２ｃを有している。
【００３０】
また、薄板部１ｂの上面側には、上方に開口された第２の収納部１ｅが設けられ、この収納部１ｅの内底面に第２の固定接点３がその上面側を表出した状態で配設されている。この第２の固定接点３は、後述する第２可動接点１０の周縁部が常時接触した状態となる位置に配設された共通接点３ａと、この共通接点３ａの外周位置に配設され、後述する第１可動接点９の周縁部が常時接触した状態となる位置に配設された第１接点３ｂと、共通接点３ａの内側位置に配設され、第２可動接点１０と接離する第２接点３ｃとを有している。
【００３１】
また、第１の収納部１ｄに配設された第１の固定接点２の共通接点２ａと、第２の収納部１ｅに配設された第２の固定接点３の共通接点３ａとは、ハウジング１内で一体に連結されて形成されている。また、第１の固定接点２の共通接点２ａ、個別接点２ｂ、２ｃと、第２の固定接点３の共通接点３ａ、第１及び第２接点３ｂ、３ｃの互いの接点面は、ハウジング１内の平面方向にずらして、互いに重ならないように配置されている。
【００３２】
このように、第１の固定接点２と第２の固定接点３は、共通の金属板を屈曲することにより段違い状に形成されており、ハウジング１の一面側とその対向する他面側とにそれぞれ表裏面を表出させて配設してあるので、固定側の接点であるそれぞれの固定接点２、３を共通化することで構造を簡易にでき、入力装置の薄型化が図れるものとなる。
【００３３】
また、第１及び第２の固定接点２、３は、第１の固定接点２と第２の固定接点３の互いの接点面を、ハウジング１の平面方向にずらして配置するようにしており、互いの接点面の裏側の樹脂肉厚を大きくすることができるので、第１及び第２の固定接点２、３をハウジング１内に強固に保持できると共に、入力装置の操作時に接点面が変形してしまうことを防止できるものとなる。
【００３４】
また、ハウジング１の第１の収納部１ｄの一端側には、ばね収容部が形成されており、このばね収容部に、後述するスライド操作部７を初期位置に自己復帰させる復帰手段であるコイルばね４が係合されている。
【００３５】
また、ハウジング１の一側面には、第１及び第２の固定接点２、３から導出された外部端子５、６が延設されている。
【００３６】
スライド操作部７は、合成樹脂などの絶縁材で形成され、長尺状の摺動部７ａと、この摺動部７ａの両端から上面側に突出された一対のアーム部７ｂを有している。また、このアーム部７ｂの上面側には、操作用のつまみを係合するための係合孔７ｃが形成されており、この係合孔７ｃに、シャッター操作部３６の鍔部３６ｂの両端にＬ字状に垂下された係止部３６ｃが係合されるものとなっている。
【００３７】
また、摺動部７ａの上面側の一側方には、長溝状の摺動子収容部７ｄが設けられており、この摺動子収容部７ｄには、ばね性を有する導電性の金属材からなる摺動子８が収容されている。また、摺動部７ａの上面側の他側方には、ハウジング１のばね収容部に係合されたコイルばね４の両端に係合するばね係止部７ｅが設けられている。
【００３８】
第１可動接点９は、ばね性を有する導電性の薄板金属板で略円盤状に形成され、その中央にドーム状の膨出部９ａを有し、周縁の４箇所には突起状の脚部９ｂが設けられている。この第１可動接点９はハウジング１の第２の収納部１ｅ内に配置されるものとなっており、この第１可動接点９が第２の収納部１ｅに配置された時、この脚部９ｂの一部が、第２の固定接点３の第１接点３ｂと常時接触するようになっている。また、ドーム状の膨出部９ａが反転可能に設けられており、この膨出部９ａが押圧されて反転した時に、膨出部９ａの頂部が第２可動接点１０と接触するようになっている。
【００３９】
第２可動接点１０は、同じく、ばね性を有する導電性の薄板金属板で円盤状に形成され、その中央にドーム状の膨出部１０ａを有している。この第２可動接点１０はハウジング１の第２の収納部１ｅ内に配置されるものとなっており、この第２可動接点１０が第２の収納部１ｅに配置された時、この第２可動接点１０の周縁部１０ｂが、第２の固定接点３の共通接点３ａと常時接触するようになっている。また、ドーム状の膨出部１０ａが反転可能に設けられており、この膨出部１０ａが押圧されて反転した時に、膨出部１０ａの頂部が第２接点３ｃと接触するようになっている。
【００４０】
また、第１可動接点９と第２可動接点１０は、ハウジング１の第２の収納部１ｅ内に重なった状態で配置されており、第１可動接点９の下面側で第２可動接点１０の上面側には、互いを絶縁するための絶縁性の樹脂材からなるインシュレーター１１が配置されている。このインシュレーター１１は、中央に開口部１１ａを有する円環状に設けられており、この開口部１１ａを介して、第１可動接点９の膨出部９ａの頂部下面と、第２可動接点１０の膨出部１０ａの頂部上面とが対峙された状態で配置されている。
【００４１】
カバー１２は、絶縁性の樹脂フィルムで形成され、矩形状をしており、中央には上面側に突出して形成された押圧操作用の押圧突部１２ａが設けられている。このカバー１２は、ハウジング１の第２の収納部１ｅの開口部上面側に配置されており、第１可動接点９の上面を覆うように配置され、押圧突部１２ａが押圧された時、押圧突部１２ａの下面が、第１可動接点９の膨出部９ａの頂部を押圧することで第１可動接点９を下側へ反転させるものとなる。
【００４２】
枠体１３は、金属板を打ち抜き折り曲げて、上板１３ａと下板１３ｂとを略Ｕ字状に対向させて形成しており、この上板１３ａと下板１３ｂとで、ハウジング１の上面及び下面を覆うようにハウジング１に装着されている。また、この枠体１３により、カバー１２とスライド操作部７が、ハウジング１から抜け落ちるのを防止している。
【００４３】
この時、スライド操作部７は、ハウジング１の厚板部１ａと薄板部１ｂとから階段状に形成された段差部１ｃと枠体１３の下板１３ｂとの間に形成された隙間内に、摺動部７ａがスライド移動可能に配置されており、ハウジング１の厚みの段差を利用して設けられた階段状の段差部１ｃにスライド操作部７を配置することができるので、入力装置の薄型化が図れるものとなっている。
【００４４】
また、ハウジング１の薄板部１ｂが、スライド操作部７のスライド移動領域よりも前方に張り出して形成されており、この薄板部１ｂの下面側が、空洞領域になることから、この空洞領域を利用することで電子機器の本体部３１への実装時に他の電子部品を収納することができ、実装面積の自由度が向上させるものとなる。
【００４５】
また、ハウジング１の上面側には、押圧操作型入力部を構成する第２の固定接点３を配置して、ハウジング１の下面側には、スライド操作型入力部を構成する第１の固定接点２を配置してあり、下面側の第１の固定接点２と摺接する摺動子８を有するスライド操作部７は、摺動部７ａの両端から上面側に突出された一対のアーム部７ｂを有しており、このアーム部７ｂの上面側に、シャッター操作部３６及びズーム操作部３７を係合するための係合孔７ｃを形成したことから、それぞれの入力部が対向する上下面に配置されていたとしても、互いに上面側の同一方向からの入力操作が可能となっている。
【００４６】
また、スライド操作部７の一対のアーム部７ｂを、押圧操作型入力部を挟んで両側にスライド操作可能に配置したことにより、押圧操作とスライド操作を中央に集中して行うことができるので、それぞれの操作の向上が図れるものとなる。
【００４７】
次に、上記構成の複合操作型入力装置を使用した、シャッター操作部３６、及びズーム操作部３７の動作を説明する。
まず、スライド操作によりデジタルカメラ等のズーミングを行う場合、電子機器の操作者が、手指でズーム操作部３７の操作面３７ｂを一方向へスライド動作させると、スライド操作部７が一方向へスライド移動することにより、摺動部７ａに係合された摺動子８がハウジング１の第１の収納部１ｄに配設された第１の固定接点２上を摺動して、スライド移動した摺動子７ａの位置に応じた各接点間（例えば、共通接点２ａと個別接点２ｂ間、あるいは共通接点２ａと個別接点２ｃ間）がオンされ信号が出力される。
【００４８】
このスライド操作により、デジタルカメラ等のズーミングが行われるものとなっている。また、この状態から、手指の押圧力を下げると、スライド操作部７は、ばね係止部７ｃに当接されているコイルばね４の弾発作用により、初期位置へ自己復帰するものとなっている。また、このコイルばね４は、スライド操作部７の略中央位置に１個だけ係合配置されており、左右の両方向からの中立位置への復帰を１個のコイルばね４で行うようになっている。
【００４９】
次に、押圧（プッシュ）操作によりデジタルカメラ等の焦点（フォーカス）合わせ及びシャッター操作を行う場合、操作者がシャッター操作部３６の操作面３６ａを押し込むと、ある一定の量を押し込んだ位置（第１押し込み位置）で、カバー１２の押圧突部１２ａが、下側に配置された第１可動接点９の膨出部９ａを押圧することにより第１可動接点９が反転し、膨出部９ａの頂部がインシュレーター１１の開口部１１ａを通して下側に配置された第２可動接点１０の膨出部１０ａに接触する。そして、この第１及び第２可動接点９、１０を介して、ハウジング１の第２の収納部１ｅに配設された第２の固定接点３の共通接点３ａと第１接点３ｂ間がオンされ信号が出力される。
この第１押し込み操作により、デジタルカメラ等の焦点合わせが行われるものとなっている。
【００５０】
この状態から、さらにシャッター操作部３６の操作面３６ａを押し込むと、さらに一定の量を押し込んだ位置（第２押し込み位置）で、カバー１２の押圧突部１２ａが、第１可動接点９を介して第２可動接点１０の膨出部１０ａを押圧することにより第２可動接点１０が反転し、膨出部１０ａの頂部が下側に配設された第２の固定接点３の第２接点３ｃに接触する。そして、第２の固定接点３の共通接点３ａと第２接点３ｃ間がオンされ信号が出力される。
この第２の押し込み操作により、デジタルカメラ等のシャッター操作が行われるものとなっている。
【００５１】
このように、押圧操作型入力部を構成する、第２の固定接点、及び第１、第２可動接点９、１０は、２段式押釦スイッチから構成され、シャッター操作部３６は、フォーカスロックとシャッター操作の２段階操作で構成されているので、フォーカスロックとシャッター操作を連続して行えるので、操作性の向上が図れるものとなっている。
【００５２】
【発明の効果】
以上説明したように、本発明の撮影機能付き電子機器は、撮影用レンズと、それぞれ独立した操作が可能なシャッター操作部とズーム操作部とを有する入力部と、撮影用レンズで撮影した静止画像又は動画像を電子データに変換するデータ変換手段と、変換した画像データを記憶する記憶手段とを備え、入力部は、シャッター操作部を挟んで対向する両側に相反するズーム操作を行うズーム操作部を配置すると共に、シャッター操作部及びズーム操作部のそれぞれの操作面を筐体の同一面に沿うように配置したことから、シャッター操作部とズーム操作部の操作面の操作を筐体の同一面側から操作することができ、１本の指での操作を可能として操作性の向上が図れると共に、電子機器本体の小型化が図れる。
【００５３】
また、ズーム操作部の操作面に、ズーム操作時に指が係止する係止面部を設け、係止面部に指が係止した状態でシャッター操作部が操作可能なようにシャッター操作面を設けたことから、ズーム操作とシャッター操作を連続して行えるので、撮影のタイミングロスを低減できる。
【００５４】
また、入力部は、シャッター操作部の昇降移動を検出してシャッター操作を行い、シャッター操作部の昇降方向と交差する方向にズーム操作部がスライド移動したことを検出してズーム操作を行うことから、シャッター操作方向とズーム操作方向を異ならせることができるので、互いの誤動作を防止できる。
【００５５】
また、ズーム操作部のスライド移動時に、シャッター操作部が従動してスライド移動することから、ズーム操作とシャッター操作を連続して行えるので、撮影のタイミングロスを低減できる。
【００５６】
また、ズーム操作部は、ズーム操作面を初期位置に復帰させる自己復帰手段を有し、自己復帰手段の付勢力に抗してズーム操作部をスライド操作した状態で、同時にシャッター操作部を昇降操作可能としたことから、ズーム選択状態を目視確認しなくても、シャッター操作時にズーム選択状態を操作者が自覚できる。
【００５７】
また、ズーム操作部は、ズーム操作面を初期位置に復帰させる自己復帰手段と、シャッター操作部のロック手段を有し、ズーム操作部をスライド操作した状態では、シャッター操作部の昇降操作をロックし、ズーム操作部が初期位置にある時にはシャッター操作部のロックを解除するようにしたことから、ズーム操作中に誤ってシャッターが押されることによる誤操作を防止できる。
【００５８】
また、シャッター操作部は、フォーカスロックとシャッター操作の２段階操作で構成したことから、フォーカスロックとシャッター操作を連続して行えるので、操作性の向上が図れる。
【図面の簡単な説明】
【図１】本発明の一実施例である撮影機能付き電子機器を示す斜視図である。
【図２】本発明の入力部であるシャッター操作部及びズーム操作部を示す斜視図である。
【図３】本発明の変形例であるシャッター操作部にロック手段を形成した構成を示す部分正面図である。
【図４】本発明の変形例であるシャッター操作部にロック手段を形成した構成を示す部分斜視図である。
【図５】本発明の複合操作型入力装置を示す平面図である。
【図６】本発明の複合操作型入力装置を示す側面図である。
【図７】本発明の複合操作型入力装置を示す斜視図である。
【図８】本発明のハウジングの固定接点の埋設状態を示す一部を透視した状態の斜視図である。
【図９】本発明の複合操作型入力装置の上方から見た状態を示す分解斜視図である。
【図１０】本発明の複合操作型入力装置の下方から見た状態を示す分解斜視図である。
【図１１】従来の複合操作型入力装置を示す分解斜視図である。
【図１２】従来の複合操作型入力装置を示す平面図である。
【符号の説明】
１  ハウジング
１ａ  厚板部
１ｂ  薄板部
１ｃ  段差部
１ｄ  第１の収納部
１ｅ  第２の収納部
１ｆ  規制突起
２  第１の固定接点
２ａ  共通接点
２ｂ  個別接点
２ｃ  個別接点
３  第２の固定接点
３ａ  共通接点
３ｂ  第１接点
３ｃ  第２接点
４  コイルばね
５  外部端子
６  外部端子
７  スライド操作部
７ａ  摺動部
７ｂ  アーム部
７ｃ  係合孔
７ｄ  摺動子収容部
７ｅ  ばね係止部
８  摺動子
９  第１可動接点
９ａ  膨出部
９ｂ  脚部
１０  第２可動接点
１０ａ  膨出部
１０ｂ  周縁部
１１  インシュレーター
１１ａ  開口部
１２  カバー
１２ａ  押圧突部
１３  枠体
１３ａ  上板
１３ｂ  下板
３０  撮影機能付き電子機器
３１  本体部
３２  ヒンジ
３３  表示部
３４  キーボード
３４ａ  押釦
３５  入力部
３６  シャッター操作部
３６ａ  操作面
３６ｂ  鍔部
３６ｃ  係止部
３６ｄ  切り欠き部
３７  ズーム操作部
３７ａ  平板部
３７ｂ  操作面
３７ｃ  貫通孔
３７ｄ  傾斜面部
３８  表示画面部
【図１】
2004363691.tif 000003
【図２】
2004363691.tif 000004
【図３】
2004363691.tif 000005
【図４】
2004363691.tif 000006
【図５】
2004363691.tif 000007
【図６】
2004363691.tif 000008
【図７】
2004363691.tif 000009
【図８】
2004363691.tif 000010
【図９】
2004363691.tif 000011
【図１０】
2004363691.tif 000012
【図１１】
2004363691.tif 000013
【図１２】
2004363691.tif 000014